(57)【要約】ネットワークと、光ファイバトランクと、そのトランクに沿って位置された一連のノードの状態を監視するためにハブに配置されたドメイン管理装置を有する両方向ＨＦＣネットワークにおける潜入雑音監視システムが提供される。この監視システムはタップに位置してノードまたは増幅器に集積された、または独立装置としてストランドマウントされたＢＴＰ（ブロードバンドテスト点）を備えている。ＢＴＰは下流に向いた方向性結合器を通ってＨＦＣネットワークに接続された潜入雑音監視インターフェースを含み、そのインターフェースから下流のネットワーク中の潜入雑音を検出し、さらに上流に向いた方向性結合器を備えており、それ通ってＨＦＣネットワークに接続されたモデムを含んでいる。このモデムはドメイン管理装置と通信して検出された潜入雑音情報を送信する。【選択図】図２
2004516713.tif 000002
【特許請求の範囲】
【請求項１】
ハブと、ＨＦＣネットワークの状態を監視するために設けられたドメイン管理装置と、光ファイバラインと、光ファイバラインに沿って配置されているノードとを有しているＨＦＣネットワーク中の潜入雑音を監視するシステムにおいて、、
遠隔のノードまたはそのノードから下流の位置に配置され、ＨＦＣネットワークに接続されている潜入雑音監視インターフェースと、モデムとを備えているＢＴＰとを具備し、
前記潜入雑音監視インターフェースはその下流のＨＦＣネットワーク中の潜入雑音を検出するように構成され、
前記モデムはドメイン管理装置と通信して前記検出した潜入雑音情報を送信するように構成されている監視システム。
【請求項２】
ＨＦＣネットワークはさらに、ＨＦＣネットワークに接続され、ノードから下流に位置しているタップを含み、潜入雑音監視インターフェースとモデムはそのタップにおいてＨＦＣネットワークに接続されている請求項１記載のシステム。
【請求項３】
タップは上流に面している方向性結合器と、下流に面している方向性結合器とを備え、潜入雑音監視インターフェースは下流に面している方向性結合器に接続され、モデムは上流に面している方向性結合器に接続されている請求項２記載のシステム。
【請求項４】
上流に面している方向性結合器は下流に面している方向性結合器よりも下流に位置している請求項３記載のインダクタ構造。
【請求項５】
ハブと、ＲＦ信号を送信する複数のラインと、潜入雑音を監視するシステムとを有しているＨＦＣネットワークにおいて、
ＲＦ信号を送信するＲＦラインと、ＲＦライン上に位置し上流に面している方向性結合器と、ＲＦライン上に位置し下流に面している方向性結合器とを備えているタップと、
下流に面している方向性結合器に接続されている潜入雑音監視インターフェースから下流のＨＦＣネットワーク中の潜入雑音を検出する潜入雑音監視インターフェースと、検出された潜入雑音情報を送信するためにドメイン管理装置と通信するモデムとを有するＢＴＰとを具備しているＨＦＣネットワーク。
【請求項６】
タップはさらに、ＡＣ電力を供給するためのＡＣラインを備え、ＢＴＰはＡＣラインからＡＣ電力を受取る請求項５記載のＨＦＣネットワーク。
【請求項７】
ＡＣ電力はＡＣラインから撚線によってＢＴＰに供給される請求項６記載のＨＦＣネットワーク。
【請求項８】
下流に面している方向性結合器は、上流に面している方向性結合器よりも上流に位置されている請求項５記載のＨＦＣネットワーク。
【請求項９】
ＢＴＰはビルディング内に位置されてビルディングからＡＣ電力を供給される請求項５記載のＨＦＣネットワーク。
【請求項１０】
さらに、タップのすぐ上流のＨＦＣネットワークに配置されている増幅器を備えている請求項５記載のＨＦＣネットワーク。
【請求項１１】
複数のラインは光ファイバラインと、この光ファイバラインに結合されたノードと、ノードから下流に延在する１以上のブランチとを含んでおり、タップはノードから下流に位置されてブランチに接続されている請求項５記載のＨＦＣネットワーク。
【請求項１２】
ハブと、ドメイン管理装置と、ＲＦ信号を送信する複数のラインとを有しているＨＦＣネットワーク中の潜入雑音を監視するシステムにおいて、
ＨＦＣネットワークに接続され、ハブに関して遠隔の位置に配置され、下流に面している方向性結合器と、上流に面している方向性結合器と、下流に面している方向性結合器に接続されてネットワーク中の潜入雑音を検出する潜入雑音監視インターフェースと、ドメイン管理装置と通信するために上流に面している方向性結合器に接続されているモデムとを有するＢＴＰを具備している潜入雑音監視システム。
【請求項１３】
ＢＴＰはさらに、ＡＣ電力をＤＣ電力に変換する電力変換装置を備えている請求項１２記載のシステム。
【請求項１４】
さらに、ＢＴＰからすぐ上流のネットワーク上に位置している増幅器を備えている請求項１２記載のシステム。
【請求項１５】
潜入雑音を監視するシステムを有しているＨＦＣネットワークにおいて、
その下流に延在するブランチを有し、それから上流に光ファイバラインが延在し、ブランチに位置している下流に面している方向性結合器と、上流に面している方向性結合器とを有しているノードと、
ノードに接続され、潜入雑音監視インターフェースおよびモデムを有するＢＴＰとを具備し、
モデムは上流に面している方向性結合器に接続され、潜入雑音監視インターフェースは下流に面している方向性結合器に接続されてブランチにおける潜入雑音を監視するように構成されているＨＦＣネットワーク。
【請求項１６】
上流に面している方向性結合器は、下流に面している方向性結合器から下流に位置されている請求項１５記載のＨＦＣネットワーク。
【請求項１７】
ノードは、複数のブランチと、各ブランチ上に位置している下流に面している方向性結合器と、各下流に面している方向性結合器に接続されて各ブランチの潜入雑音を独立して監視する潜入雑音監視インターフェースとを具備している請求項１５記載のＨＦＣネットワーク。
【請求項１８】
潜入雑音を監視するシステムを有しているＨＦＣネットワークにおいて、
その下流に延在する１以上のブランチと、ブランチ上に位置し下流に面している方向性結合器と、上流に面している方向性結合器とを備えている増幅器と、
ノードに接続され、潜入雑音監視インターフェースおよびモデムを有するＢＴＰとを具備し、
モデムは上流に面している方向性結合器に接続され、潜入雑音監視インターフェースは下流に面している方向性結合器に接続されてブランチにおける潜入雑音を監視しているＨＦＣネットワーク。
【請求項１９】
上流に面している方向性結合器は、下流に面している方向性結合器よりも下流に位置されている請求項１８記載のＨＦＣネットワーク。
【請求項２０】
増幅器は、複数のブランチと、各ブランチに位置している下流に面している方向性結合器とを具備し、潜入雑音監視インターフェースは各下流に面している方向性結合器に接続されて各ブランチにおける潜入雑音を独立して監視するように構成されている請求項１９記載のＨＦＣネットワーク。
【発明の詳細な説明】
【０００１】
【技術分野】
本発明は、一般的に、両方向ケーブルテレビジョン（ＣＡＴＶ）ネットワークに関し、特に、ネットワーク内の潜入雑音を監視するためにネットワーク内に放送テスト点（ＢＴＰ）を取付けるための方法および装置に関する。
【０００２】
【従来の技術】
図１はデータ伝送のためにモデムを使用する典型的な両方向ＣＡＴＶネットワークの一部のブロック図である。図１に示されたネットワーク１０は本発明の説明のために示されてものであり、多数のＣＡＴＶネットワーク形態のものの単なる例示にすぎないことを理解すべきである。ネットワーク１０はハプ１２で発生し、加入者ケーブルモデム２６で終端する。大きいネットワークでは、ヘッドエンドは多数のハブをサービスする。小さいネットワークでは、ネットワークはハブ１２で終端してもよく、その場合にはハブ１２それ自身がヘッドエンドである。ハブ１２は典型的にモデム終端システムを含み、それは加入者モデム２６との間でデータを送信および受信する。ハブ１２は光ファイバライン１４によって分配ノード１６に接続されている。ハブ１２は典型的には８０までの分配ノード１６をサポートすることができる。各分配ノード１６は同軸ケーブルブランチライン１８によって典型的に多数の両方向増幅器２０に接続される。各両方向増幅器２０は少なくとも１つのタップ２２に接続される。各タップ２２は同軸ケーブルドロップライン２４によって最終的にモデム２６に接続されている。セットトップボックスのような他のケーブル装置、テレビジョン、および埋設されたメディア端末アダプタがモデム２６に付加して、或いはモデム２６の代りにネットワークの下流端に存在してもよい。
【０００３】
ここで使用されるように、用語“上流”は（１）ネットワーク上の基準点とハブ１２との間に位置しているネットワーク１０の部分および（２）ハブ１２の方向にネットワークを移動する信号をいう。反対に“下流”は（１）基準点とケーブルモデム２６との間に位置しているネットワーク１０の部分および（２）ハブ１２から遠ざかる方向にネットワークを移動する信号をいう。
【０００４】
このタイプのＣＡＴＶネットワークは通常ハイブリッドファイバ・同軸（ＨＦＣ）ネットワークまたはプラントと呼ばれている。その理由はそれらが光ファイバライン（通常ハブ１２とノード１６との間に位置している）と、同軸ケーブルライン（通常ノード１６から下流に位置している）との組合わせを含んでいるからである。用語ＣＡＴＶネットワーク、ＣＡＴＶプラント、ＨＦＣネットワーク、およびＨＦＣプラントはここでは交換可能に使用され、上述し、図１に示されたタイプのネットワークに対して一般的に使用されることを理解すべきである。
【０００５】
潜入雑音はＨＦＣネットワークで問題を残している。潜入雑音は付近の家庭内の開放されたあるいはルーズなケーブルを使用する電気機器からのＲＦ放射、ネットワークケーブル上のＲＦ伝送、および例えば接地ケーブルを介して侵入する電気装置からのＲＦ妨害のような多くのソースから導入されることができる。理想的にはそのような雑音はＨＦＣネットワークの同軸部分を光ファイバラインにより置換することによって大きく減少させ、或いは除去することができる。しかしながら、全てのＨＦＣネットワークを光ファイバに変換することは現在の時点で経済的に適合するものではない。上流方向の潜入雑音は特に問題である。それはドロップライン２４およびブランチ２８における潜入雑音はデータがハブ１２へ上流方向に移動するとき累積されるからである。そのような潜入雑音を阻止または減少させる第１のステップは潜入雑音のソースにおいてネットワーク１０の部分を識別することである。
【０００６】
【発明が解決しようとする課題】
現在、潜入雑音はハブ１２のみにおいて、或いはもっと大きいネットワークではヘッドエンドにおいて連続的に監視されている。潜入雑音が検出されると技術者はノード１６、増幅器２０、およびタップ２２を含むネットワークに沿った種々の位置にあるテスト点に潜入雑音監視インターフェースを手作業によって取付けることにより潜入雑音ソースを分離するように処理している。ＨＦＣネットワークにおける潜入雑音のこのような分離方法は時間がかかり、多くの労力を伴う。それ故、もっと効率がよく、コストもかからないＨＦＣネットワークにおける潜入雑音の位置を決定する方法が必要とされている。
【０００７】
【課題を解決するための手段】
本発明は、ハブと、ＨＦＣネットワークの状態を監視するために設けられたドメイン管理装置と、光ファイバラインと、光ファイバラインに沿って位置しているノードとを具備しているＨＦＣネットワーク中の潜入雑音を監視するシステムを具備している。システムは、遠隔のノードまたはノードから下流に位置しているＢＴＰを含んでいる。ＢＴＰはＨＦＣネットワークに接続されてインターフェースから下流のＨＦＣネットワーク中の潜入雑音を検出する潜入雑音監視インターフェースを備えている。ＢＴＰはまた、ドメイン管理装置と通信して検出した潜入雑音情報を送信するモデムを備えている。
【０００８】
【発明の実施の形態】
本発明を以下添付図面を参照にして説明する。同様の参照符号は同じ素子を示している。好ましい実施形態は詳細な説明を確実に行うためのものであり、本発明の技術的範囲、適用可能性または構成を限定するものではない。むしろ好ましい実施形態の詳細な説明は当業者に本発明の好ましい例示的な実施形態を実施するための可能な構成の説明を提供する。種々の変更が特許請求の範囲に記載された本発明の技術的範囲を逸脱することなく機能および素子の配置について行うことが可能であることを理解すべきである。
【０００９】
図２は本発明の第１の好ましい実施形態を示しており、それはＢＴＰ３０をサポートするように変更されたタップ２２を含んでいる。好ましくはタップ２２は増幅器２０のすぐ下流に位置して、それによりＢＴＰ３０はタップ２２が位置しているブランチ１８に対する全潜入雑音ソースを監視することができる。ブランチ１８はタップ２２の上流端に入り、ダイプレクサ３２によってＡＣ電力ライン３４とＲＦライン３６とに分割される。通常のようにタップ２２は上流に面している方向性結合器４０を含んでおり、それは信号を後方に、すなわち上流方向の信号だけを通過させるように構成されている。上流に面している方向性結合器４０は一連の分割器４２と接続され、その分割器４２はラインを多数の（この場合には８個の）ドロップライン２４に分割し、その大部分は加入者端末（図示せず）に接続するために利用されている。ドロップライン２４の１つはＢＴＰ３０中に位置しているモデム６２に接続され、その機能については以下詳細に説明する。
【００１０】
タップ２２はまた下流に面している方向性結合器５６を含み、それは同軸ライン５８によってＢＴＰ３０中に位置している潜入雑音監視インターフェース６０に接続されている。潜入雑音監視インターフェース６０は下流に面している方向性結合器５６から下流のネットワーク１０中の潜入雑音を監視する。この実施形態において、下流に面している方向性結合器５６は上流に面している方向性結合器４０の上流に位置していることが好ましく、それにより潜入雑音監視インターフェース６０はドロップライン２４中の潜入雑音を監視することができる。
【００１１】
潜入雑音監視インターフェース６０により収集された潜入雑音情報はハブ１２に配置されているドメイン管理装置に、またはモデム６２によりヘッドエンドに通知され、モデム６２はＨＦＣネットワークを通って信号を上流に送る。図２に示されたＢＴＰの構成はネットワークを通る多数の点で繰返されることが可能であり、それによりネットワークを通って複数の点に対する実時間の潜入雑音データを提供し、手動のスポットテストを行うために技術者が迅速な処理をする必要なく潜入雑音ソースの分離を可能にする。
【００１２】
ＢＴＰ３０は通常の手段により電力を供給されることができる。ＢＴＰ３０を給電する好ましい手段はネットワークの構成に依存している。図２では、ＢＴＰ３０は好ましくは撚線対よりなるライン６４によりＡＣライン３４を通る電力から電力を受取る。電力はまた潜入雑音監視インターフェース６０およびモデム６２に給電する同軸ライン５８， ２４の１つをダイプレクスすることによりＢＴＰ３０に供給されることができる。ＢＴＰ３０はストランド（ｓｔｒａｎｄ）マウントまたはペデスタルマウントのような任意の都合のよい手段によって取付けられることができる。
【００１３】
タップ２２におけるＢＴＰ３０の設置は下流に面している方向性結合器５６に適合し、付加的なドロップライン２４を与えることを可能にするように変更されたフェースプレートを有する既存のタップフェースプレートとの交換を通常必要とする。それ故タップ２２は加入者を変位させることなくＢＴＰに対してモデム６２を適合させることができる。当業者の知識の範囲内で変更されたフェースプレートを提供するための変更が必要である。
【００１４】
図２に示された本発明の実施形態は、ＢＴＰ３０が既存のＨＦＣネットワークにおける改良であるような応用に対して好ましい。何故ならば、比較的廉価な部品であるタップフェースプレートとの交換しか必要がないからである。さらに、この実施形態はネットワークの再構成または付加的な増幅器の設置がほとんど必要ない。その理由は、この実施形態により導入された上流および下流ＲＦレベルドロップがタップ２２のすぐ上流の増幅器２０のＡＣＣ（自動利得制御）の容量内である可能性が高いからである。
【００１５】
図３を参照すると、図２に示された本発明の実施形態の変形が示されている。この実施形態では、ＢＴＰ３０はビルディング６８中に配置され、このビルディング６８は電力ライン７０によってＢＴＰ３０に電力を供給する。この変形は限定された試験的使用の場合に適しており、普及した恒久的な配置のＢＴＰ３０にはそれ程適してはいない。その理由はＢＴＰ３０が配置された全てのタップ２２においてビルディングにアクセスすることが必要であるからである。
【００１６】
図４は本発明の別の第１の実施形態を示している。それにおいて同様の素子は１００ だけ大きい同様の符号で示されている（例えば図２のＢＴＰ３０は図４のＢＴＰ１３０ に対応し、図５のＢＴＰ２３０ に対応する）。図４はブランチ１１８ に直接スライスされたストランドマウントのＢＴＰ１３０ を示している。ブランチ１１８ はＢＴＰ１３０ に入り、ダイプレクサ１３２ によりＡＣライン１３４ とＲＦライン１３６ とに分割される。下流に面している方向性結合器１４０ はＲＦライン１３６ 上に設置され、潜入雑音監視インターフェース１６０ に接続されている。上流に面している方向性結合器１５６ は下流に面している方向性結合器１４０ の上流でＲＦライン１３６ 上に設置され、モデム１６２ に接続されている。
【００１７】
増幅器１２０ はネットワークのブランチ１１８ 上の全てのソースからの潜入雑音を捕捉するためにＢＴＰ１３０ のすぐ上流に配置されることが好ましい。本明細書で使用しされている用語「すぐ上流」とは増幅器１２０ とＢＴＰ１３０ との間のブランチ１１８ 上に例えばタップのような他の素子が存在しないことを意味している。
【００１８】
ＢＴＰ１３０ のための電力はＡＣライン１３４ とＡＣ・ＤＣ電力変換器１７２ と電力ライン１６４ を通って供給される電力により与えられる。ＡＣ・ＤＣ電力変換器１７２ は図４だけに示されているが、種々のＢＴＰ構成でネットワーク中のＡＣ電力を・ＤＣ電力に変換する各実施例において必要である。しかしながら、電力変換器１７２ はしばしばＢＴＰ中に統合されるので、そのため他の実施例では別個の素子として示されていない。
【００１９】
ＢＴＰ１３０ の下流端において、ＡＣライン１３４ とＲＦライン１３６ はダイプレクサ１３８ によって再び結合され、ブランチ１１８ の下流に出る。本発明のこの実施例は図２に示される実施例と同じ機能を行い、タップ２２の変更は必要ないが、２つの付加的な方向性結合器がこの実施例によってネットワーク中に導入されることによって、プラントの再較正または付加的な増幅が必要になる可能性がある。随意であるが、ストランドマウントのＢＴＰ１３０ は利得が１の上流および、または下流増幅器を含んでいてもよい。
【００２０】
本発明の第２の変形実施例は図５に示されており、変更されたノード２１６ を備えている。変更されたノード２１６ は組込まれたＢＴＰ２３０ を含んでいる。通常のようにノード２１６ は光ファイバライン２１４ 中を伝搬する光を電気信号に変換し、ラインを多数の同軸ブランチ２１８ に分割し、増幅して下流信号を与える。図示された実施例には４個のブランチが含まれている。もちろん、その他の数のブランチも可能である。
【００２１】
光ファイバライン２１４ は光ファイバ受信機２８２ および光ファイバ送信機２８０ に接続されている。光ファイバ受信機２８２ は下流光信号を電子信号に変換し、その変換された電子信号は受信機２８２ を出て同軸ライン２８６ へ出力される。同軸ライン２８６ はその後、直列スプリッタ２４２ によって４つのライン２８６ に分割される。増幅器２７８ は典型的に４つのライン２８６ のそれぞれに配置されて下流信号強度を増幅する。増幅された後、各下流同軸ライン２８６ はダイプレクサ２３８ を通過して、ブランチ２１８ の１つでノード２１６ を出る。
【００２２】
上流電気信号は４つのブランチ２１８ の１つを通ってノード２１６ に入り、ダイプレクサ２３８ （それは下流信号からそれらを分離する）と４つの上流同軸ライン２８４ の１つを通過する。４つの上流同軸ライン２８４ はスプリッタ２４２ によって単一の同軸ライン２８４ に結合される。光ファイバ送信機２８０ はそれから上流電気信号を光信号に変換し、その光信号は送信機２８０ から光ファイバライン２１４ を通って出力される。
【００２３】
本発明によれば、ノード２１６ は、潜入雑音監視インターフェース２６０ とモデム２６２ とを有するＢＴＰ２３０ を含んでいる。下流に面している方向性結合器２４０ はスプリッタ２４２ の下流の下流信号同軸ライン２８６ のそれぞれに配置されている。各下流に面している方向性結合器２４０ はライン２７６ により潜入雑音監視インターフェース２６０ に接続されている。この構成は、潜入雑音監視インターフェース２６０ が４つのブランチのそれぞれにおいてノード２１６ から下流の潜入雑音を監視することを可能にする。上流に面している方向性結合器２５６ はスプリッタ２４２ と送信機２８０ との間の同軸ライン２８４ 上に配置することが好ましく、ライン２５８ によりモデム２６２ に接続されている。ＢＴＰ２３０ のための電力はノード２１６ により内部的に与えられることが好ましい。
【００２４】
図６は増幅器３２０ 中にＢＴＰ３３０ を内蔵させた構成を示している。増幅器３２０ 中において、順方向増幅器３８２ および逆方向増幅器３８０ が光ファイバ受信機２８２ および光ファイバ送信機２８０ とそれぞれ置換されている。それは信号は同軸ブランチ３１８ を通って増幅器３２０ に入り、出て行くからである。増幅器３２０ はそれ以外はノード２１６ に対する構造は非常によく似ており、それ故、詳細な説明は省略する。
【００２５】
図５および６に示された実施例は付加される方向性結合器の数と、ノードおよび増幅器の置換のコストとにより、これらの実施例は既存のものを改良するのではなく、新しいネットワーク中に設置するとき使用するのに最も適している。
【００２６】
以上、本発明は、特定の装置と関連して説明されたが、これらの説明は単なる例示であり、本発明の技術的範囲を制限するものではないことを理解すべきである。
【図面の簡単な説明】
【図１】
典型的なＨＦＣネットワークを示す簡単化されたブロック図。
【図２】
タップから通過する電力により電力を供給されるＢＴＰを有する本発明によるタップと増幅器の簡単なブロック図。
【図３】
ＢＴＰが位置しピルディングから電力ヲ供給される、図２に示された装置の変形のブロック図。
【図４】
ブランチラインに直接スライスされた独立したＢＴＰの簡単なブロック図。
【図５】
組込まれたＢＴＰを有するノードを示す図。
【図６】
組込まれたＢＴＰを有する増幅器を示す図。
【図１】
2004516713.tif 000003
【図２】
2004516713.tif 000004
【図３】
2004516713.tif 000005
【図４】
2004516713.tif 000006
【図５】
2004516713.tif 000007
【図６】
2004516713.tif 000008
【国際公開パンフレット】
2004516713.tif 000009
2004516713.tif 000010
2004516713.tif 000011
2004516713.tif 000012
2004516713.tif 000013
2004516713.tif 000014
2004516713.tif 000015
2004516713.tif 000016
2004516713.tif 000017
2004516713.tif 000018
2004516713.tif 000019
2004516713.tif 000020
2004516713.tif 000021
2004516713.tif 000022
2004516713.tif 000023
2004516713.tif 000024
2004516713.tif 000025
2004516713.tif 000026
2004516713.tif 000027
【手続補正書】
【提出日】平成15年5月23日(2003.5.23)
【手続補正１】
【補正対象書類名】明細書
【補正対象項目名】特許請求の範囲
【補正方法】変更
【補正の内容】
【特許請求の範囲】
【請求項１】
ハブと、ＨＦＣネットワークの状態を監視するために設けられたドメイン管理装置と、光ファイバラインと、光ファイバラインに沿って配置されているノードとを有しているＨＦＣネットワーク中の潜入雑音を監視するシステムにおいて、、
遠隔のノードまたはそのノードから下流の位置に配置され、ＨＦＣネットワークに接続されている潜入雑音監視インターフェースと、モデムとを備えているＢＴＰとを具備し、
前記潜入雑音監視インターフェースはその下流のＨＦＣネットワーク中の潜入雑音を検出するように構成され、
前記モデムはドメイン管理装置と通信して前記検出した潜入雑音情報を送信するように構成されている監視システム。
【請求項２】
ＨＦＣネットワークはさらに、ＨＦＣネットワークに接続され、ノードから下流に位置しているタップを含み、潜入雑音監視インターフェースとモデムはそのタップにおいてＨＦＣネットワークに接続されている請求項１記載のシステム。
【請求項３】
タップは上流に面している方向性結合器と、下流に面している方向性結合器とを備え、潜入雑音監視インターフェースは下流に面している方向性結合器に接続され、モデムは上流に面している方向性結合器に接続されている請求項２記載のシステム。
【請求項４】
上流に面している方向性結合器は下流に面している方向性結合器よりも下流に位置している請求項３記載のインダクタ構造。
【請求項５】
ハブと、ＲＦ信号を送信する複数のラインと、潜入雑音を監視するシステムとを有しているＨＦＣネットワークにおいて、
ＲＦ信号を送信するＲＦラインと、ＲＦライン上に位置し上流に面している方向性結合器と、ＲＦライン上に位置し下流に面している方向性結合器とを備えているタップと、
下流に面している方向性結合器に接続されている潜入雑音監視インターフェースから下流のＨＦＣネットワーク中の潜入雑音を検出する潜入雑音監視インターフェースと、検出された潜入雑音情報を送信するためにドメイン管理装置と通信するモデムとを有するＢＴＰとを具備しているＨＦＣネットワーク。
【請求項６】
タップはさらに、ＡＣ電力を供給するためのＡＣラインを備え、ＢＴＰはＡＣラインからＡＣ電力を受取る請求項５記載のＨＦＣネットワーク。
【請求項７】
ＡＣ電力はＡＣラインから撚線によってＢＴＰに供給される請求項６記載のＨＦＣネットワーク。
【請求項８】
下流に面している方向性結合器は、上流に面している方向性結合器よりも上流に位置されている請求項５記載のＨＦＣネットワーク。
【請求項９】
ＢＴＰはビルディング内に位置されてビルディングからＡＣ電力を供給される請求項５記載のＨＦＣネットワーク。
【請求項１０】
さらに、タップのすぐ上流のＨＦＣネットワークに配置されている増幅器を備えている請求項５記載のＨＦＣネットワーク。
【請求項１１】
複数のラインは光ファイバラインと、この光ファイバラインに結合されたノードと、ノードから下流に延在する１以上のブランチとを含んでおり、タップはノードから下流に位置されてブランチに接続されている請求項５記載のＨＦＣネットワーク。
【請求項１２】
ハブと、ドメイン管理装置と、ＲＦ信号を送信する複数のラインとを有しているＨＦＣネットワーク中の潜入雑音を監視するシステムにおいて、
ＨＦＣネットワークに接続され、ハブに関して遠隔の位置に配置され、下流に面している方向性結合器と、上流に面している方向性結合器と、下流に面している方向性結合器に接続されてネットワーク中の潜入雑音を検出する潜入雑音監視インターフェースと、ドメイン管理装置と通信するために上流に面している方向性結合器に接続されているモデムとを有するＢＴＰを具備している潜入雑音監視システム。
【請求項１３】
ＢＴＰはさらに、ＡＣ電力をＤＣ電力に変換する電力変換装置を備えている請求項１２記載のシステム。
【請求項１４】
さらに、ＢＴＰからすぐ上流のネットワーク上に位置している増幅器を備えている請求項１２記載のシステム。
【請求項１５】
潜入雑音を監視するシステムを有しているＨＦＣネットワークにおいて、
その下流に延在するブランチを有し、それから上流に光ファイバラインが延在し、ブランチに位置している下流に面している方向性結合器と、上流に面している方向性結合器とを有しているノードと、
ノードに接続され、潜入雑音監視インターフェースおよびモデムを有するＢＴＰとを具備し、
モデムは上流に面している方向性結合器に接続され、潜入雑音監視インターフェースは下流に面している方向性結合器に接続されてブランチにおける潜入雑音を監視するように構成されているＨＦＣネットワーク。
【請求項１６】
上流に面している方向性結合器は、下流に面している方向性結合器から下流に位置されている請求項１５記載のＨＦＣネットワーク。
【請求項１７】
ノードは、複数のブランチと、各ブランチ上に位置している下流に面している方向性結合器と、各下流に面している方向性結合器に接続されて各ブランチの潜入雑音を独立して監視する潜入雑音監視インターフェースとを具備している請求項１５記載のＨＦＣネットワーク。
【請求項１８】
潜入雑音を監視するシステムを有しているＨＦＣネットワークにおいて、
増幅器の上流端において入力端子に接続され、そこからの下流に延在する１以上のブランチと、各ブランチ上に位置し、下流に面している方向性結合器と、上流に面している方向性結合器とを有している増幅器と、
増幅器に接続され、潜入雑音監視インターフェースおよびモデムを有するＢＴＰとを具備し、
前記モデムは上流に面している方向性結合器に接続され、前記潜入雑音監視インターフェースは下流に面している方向性結合器に接続されてブランチにおける潜入雑音を監視しているＨＦＣネットワーク。
【請求項１９】
上流に面している方向性結合器は、下流に面している方向性結合器よりも下流に位置されている請求項１８記載のＨＦＣネットワーク。
【請求項２０】
増幅器は、複数のブランチと、各ブランチにそれぞれ位置している下流に面している方向性結合器とを具備し、潜入雑音監視インターフェースは各下流に面している方向性結合器に接続されて各ブランチにおける潜入雑音を独立して監視するように構成されている請求項１９記載のＨＦＣネットワーク。
【請求項２１】
２以上のドロップラインが１以上のスプリッタにより上流に面している方向性結合器に接続され、それにより潜入雑音監視インターフェースがそれらのドロップラインから送られた信号の全部を受取り、少なくとも１つのドロップラインがモデムに接続されている請求項４記載のシステム。
【請求項２２】
タップはさらに、第１のダイプレクサとこの第１のダイプレクサの下流の第２のダイプレクサとを含み、それらはそれぞれタップに入る電力ラインとＲＦラインとを分離し、再度結合し、上流に面している方向性結合器および下流に面している方向性結合器はＲＦライン上に配置されている請求項４記載のシステム。
【請求項２３】
少なくとも２つのドロップラインが１以上のスプリッタにより上流に面している方向性結合器に接続され、潜入雑音監視インターフェースがそれらのドロップラインから送られた信号の全部を受取り、少なくとも１つのドロップラインがモデムに接続されている請求項２２記載のシステム。
【請求項２４】
モデムは電力ラインに接続されたラインにより給電される請求項２２記載のシステム。
【請求項２５】
タップはさらに、第１のダイプレクサとこの第１のダイプレクサの下流の第２のダイプレクサとを含み、それらははそれぞれＡＣラインとＲＦラインとを分離しおよび再度結合させる請求項６記載のネットワーク。
【請求項２６】
２以上のドロップラインが１以上のスプリッタにより上流に面している方向性結合器に接続されている請求項２５記載のネットワーク。
【請求項２７】
タップはさらに、１以上のスプリッタにより上流に面している方向性結合器に接続されている２以上のドロップラインを含み、それにより潜入雑音監視インターフェースがそれらのドロップラインから送られた信号の全部を受取り、少なくとも１つのドロップラインがモデムに接続されている請求項８記載のネットワーク。
【請求項２８】
ノードはさらに、
光ファイバラインに接続され、下流ラインによって複数のブランチに接続されて光ファイバラインからの下流に伝送される光信号を電気信号に変換する光ファイバ受信機と、
光ファイバラインに接続され、上流ラインによって複数のブランチに接続されてブランチからの上流に伝送される電気信号を光信号に変換する光ファイバ送信機とを具備し、複数の下流に面している方向性結合器は上流ラインに配置されている請求項１７記載のネットワーク。
【請求項２９】
ノードはさらに、複数のダイプレクサを具備し、それらは各ブランチの上流ラインと下流ラインとを接続し、それにより上流信号は上流ラインのみを通って各ブランチを通過し、下流信号は各ブランチの下流ラインを通過して上流ラインに入ることなくノードから出て行くヨウニ構成されている請求項２８記載のネットワーク。
【請求項３０】
ノードはさらに、各ブランチの下流ラインに設けられた増幅器を備えている請求項２８記載のネットワーク。
【請求項３１】
増幅器はさらに、入力に接続されている第１のダイプレクサと、
第１のダイプレクサおよび１以上のブランチに下流ラインによって接続された順方向増幅器と、
第１のダイプレクサおよび１以上のブランチに上流ラインによって接続された逆方向増幅器とを具備し、上流に面している方向性結合器は上流ラインに位置されている請求項１８記載のネットワーク。
【請求項３２】
増幅器はさらに、各ブランチライン上の上流および下流ラインを接続する各ブランチに対する第２のダイプレクサを具備し、それにより各ブランチを通過する上流信号は上流ラインのみを通過し、下流信号は各ブランチの下流ラインを通過して上流ラインに入ることなく増幅器から出て行く請求項３１記載のネットワーク。
【手続補正２】
【補正対象書類名】明細書
【補正対象項目名】００２３
【補正方法】変更
【補正の内容】
【００２３】
本発明によれば、ノード２１６ は、潜入雑音監視インターフェース２６０ とモデム２６２ とを有するＢＴＰ２３０ を含んでいる。下流に面している方向性結合器２４０ はスプリッタ２４２ の下流の上流信号同軸ライン２８４ のそれぞれに配置されている。下流に面している各方向性結合器２４０ はライン２７６ により潜入雑音監視インターフェース２６０ に接続されている。この構成は、潜入雑音監視インターフェースが４つのブランチ２１８ のそれぞれにおいてノード２１６ から下流の潜入雑音を監視することを可能にする。上流に面している方向性結合器２５６ はスプリッタ２４２ と送信機２８０ との間の同軸ライン２８４ 上に配置することが好ましく、ライン２５８ によりモデム２６２ に接続されている。ＢＴＰ２３０ のための電力はノード２１６ により内部的に与えられることが好ましい。




【国際調査報告】
2004516713.tif 000028
2004516713.tif 000029